(57)【要約】【課題】  文字情報を表示する給湯装置のリモコン装置の使い勝手を高める。【解決手段】  風呂リモコン装置１に文字放送の受信部と受信された文字情報を記憶するメモリを装備する。放送スイッチ３７をオンし、選択スイッチ２９とスイッチ３０、３１操作して、文字情報の選局と番組を選択設定して表示画面３２に文字情報を表示させる。突発的に台風等の緊急文字情報が通常の文字情報に多重されて送信されてきたときには、表示画面３２の表示を強制的に番組のの文字情報から緊急文字情報に切り替えずに、表示画面３２に緊急文字情報を受信した旨をマーク「！」で表示するに止める。この表示によって緊急文字情報が到来したことを直ちに利用者に知らせる。利用者が選択スイッチ２９を操作して緊急文字情報の表示を選択したときに、表示画面３２の表示を今まで見ていた文字情報から緊急文字情報の台風情報へ切り替えて表示する。【選択図】        図２
2006183963.tif 000002
【特許請求の範囲】
【請求項１】
受信された文字放送の文字情報をメモリに記憶し、そのメモリに記憶された文字情報を表示画面に表示する機能を備えた給湯装置を遠隔操作するリモコン装置において、文字放送の文字情報と文字放送に多重されている緊急文字情報との前記メモリへの書き込みと読出しを行う文字情報書き込み・読み出し部と、文字放送に多重されて突発的に送信されてくる緊急文字情報の到来を検出する緊急文字情報検出部と、該緊急文字情報検出部から出力される緊急文字情報の検出信号を受けて緊急文字情報の受信の表示を指令する緊急文字放送受信表示指令部と、この表示指令部の指令を受けて文字放送の文字情報が表示されている表示画面の一部位に緊急文字情報が受信されていることを知らせる緊急情報受信表示を行う表示制御部と、を有することを特徴とするリモコン装置。
【請求項２】
緊急文字情報を表示画面に表示させる緊急情報表示スイッチを備え、この緊急情報表示スイッチによって緊急文字情報の表示が操作指令されたときに、表示制御部は表示画面を文字放送の文字情報から緊急文字情報へ切り替え表示する構成とした請求項１記載のリモコン装置。
【請求項３】
表示画面に緊急文字情報が表示終了されたとき又は表示終了されたときから予め定めた時間が経過したときに表示画面上の緊急情報受信表示を消す緊急受信表示消去部を有する請求項１又は請求項２記載のリモコン装置。
【請求項４】
メモリに記憶された緊急文字情報の消去を検出し、メモリに記憶された緊急文字情報が消去されたときに表示画面上の緊急情報受信表示を消す緊急受信表示消去部を有する請求項１又は請求項２記載のリモコン装置。
【請求項５】
緊急情報受信表示を消す緊急表示消去スイッチを備え、この緊急表示消去スイッチによって緊急文字情報が受信されている表示を消すスイッチ操作が行われたときに表示画面上の緊急情報受信表示を消す緊急受信表示消去部を有する請求項１又は請求項２記載のリモコン装置。
【請求項６】
緊急文字情報検出部から緊急文字情報の検出信号を受けたときを起点として経過時間を計測する時計機構と、この時計機構で計測される経過時間が予め設定した時間に達したときに表示画面上の緊急情報受信表示を消す緊急受信表示消去部を有する請求項１又は請求項２記載のリモコン装置。
【請求項７】
表示画面に緊急文字情報が表示終了されたとき又は表示終了されたときから予め定めた時間が経過したときにメモリに書き込み格納されている表示済みの緊急文字情報を消去する緊急情報消去部を有する請求項１乃至請求項６の何れか１つに記載のリモコン装置。
【請求項８】
メモリに格納された緊急文字情報を消去指示する緊急情報消去スイッチが設けられ、この緊急情報消去スイッチからの緊急文字情報の消去指示を受けてメモリに格納された緊急文字情報を消去する緊急情報消去部を有する請求項１乃至請求項６の何れか１つに記載のリモコン装置。
【発明の詳細な説明】
【技術分野】
【０００１】
本発明は例えば浴槽への自動湯張り機能を備えた給湯装置に信号接続されて、給湯装置を遠隔操作するリモコン装置に関するものである。
【背景技術】
【０００２】
給湯装置を遠隔操作するリモコン装置が浴室や、台所に設置され、このリモコン装置の表示画面に給湯や湯張りの設定温度、浴槽水位等の給湯関連情報を表示することは一般に行なわれているが、最近においては、特許文献１〜３等に示されるように、これらの給湯関連情報以外に、ＦＭ文字多重放送等の文字情報を表示画面に表示することが提案されている。このように、リモコン装置の表示画面に文字情報を表示するようにすることにより、ＦＭ文字多重放送等（以下、文字放送という）専用の受信表示画面をリモコン装置とは別個に用意することなく、浴室や台所で、文字放送を楽しむことができることとなる。
【０００３】
【特許文献１】特開２００１−１５７２７４号公報
【特許文献２】特開２００２−１３５８６３号公報
【特許文献３】特開平１０−２２９５８５号公報
【発明の開示】
【発明が解決しようとする課題】
【０００４】
周知のように、文字放送においては通常の文字情報の他に、突発的に台風、津波、地震、飛行機事故等を知らせる緊急文字情報が通常の番組の文字情報に多重して送信されている（以下、通常の番組の文字情報を単に文字情報ともいう）。浴室や台所に設置されるリモコン装置はその設置場所の利用空間を狭めないように小型化の傾向にあり、必然的に文字情報を表示するリモコン装置の表示画面も大きくできない事情がある。そのため、文字情報に多重されて緊急文字情報が到来したとき、共通の表示画面に文字情報と緊急文字情報を併記して表示すると、文字が小さくなり、リモコン装置から少し離れると文字情報の内容が判読し難くなり、不便である。
【０００５】
このような不便を解消するため、本発明者は、表示画面に文字情報と緊急文字情報とを切り替えて表示する方法を開発している。このような切り替え表示を行うに際し、開発の当初においては、緊急文字情報は通常の文字情報よりも緊急性が高いことを考慮し、リモコン装置の表示画面に文字情報を表示して文字放送を楽しんでいるときに、緊急文字情報が到来したときには、直ちに表示画面を文字情報から緊急文字情報に切り替えて表示させることを試みていた。
【０００６】
しかしながら、例えば、文字情報でニュース番組を見ていた者が、その途中で表示画面が強制的に緊急文字情報に切り替えられてしまうと、ニュース番組の内容が分からなくなる上に、ニュース番組が終わってから見ようと思っているにも拘わらず、その者にとっては緊急性が低い緊急文字情報を強制的に見せつけられることとなり、不快感を与えてしまう結果となる。そうかと言って、緊急文字情報が到来しても、それを全く表示しないようにしてしまうと、緊急文字情報を提供している意味がなく、緊急文字情報を早急に知りたい者にとっては不便である。
【０００７】
本発明は上記事情に鑑みなされたものであり、その目的は、緊急文字情報が送られてきたときには、その緊急文字情報を表示画面に強制的に表示することを避けて、緊急文字情報が送られてきたことだけを利用者に知らしめ、利用者がその緊急文字情報を見たいときに表示画面に緊急文字情報を表示して利用に供させることが可能なリモコン装置を提供することにある。
【課題を解決するための手段】
【０００８】
本発明は上記目的を達成するために、次の構成をもって課題を解決する手段としている。すなわち、第１の発明は、受信された文字放送の文字情報をメモリに記憶し、そのメモリに記憶された文字情報を表示画面に表示する機能を備えた給湯装置を遠隔操作するリモコン装置において、文字放送の文字情報と文字放送に多重されている緊急文字情報との前記メモリへの書き込みと読出しを行う文字情報書き込み・読み出し部と、文字放送に多重されて突発的に送信されてくる緊急文字情報の到来を検出する緊急文字情報検出部と、該緊急文字情報検出部から出力される緊急文字情報の検出信号を受けて緊急文字情報の受信の表示を指令する緊急文字放送受信表示指令部と、この表示指令部の指令を受けて文字放送の文字情報が表示されている表示画面の一部位に緊急文字情報が受信されていることを知らせる緊急情報受信表示を行う表示制御部と、を有する構成をもって課題を解決する手段としている。
【０００９】
また、第２の発明は、前記第１の発明の構成を備えた上で、緊急文字情報を表示画面に表示させる緊急情報表示スイッチを備え、この緊急情報表示スイッチによって緊急文字情報の表示が操作指令されたときに、表示制御部は表示画面を文字放送の文字情報から緊急文字情報へ切り替え表示する構成としたことをもって、課題を解決する手段としている。
【００１０】
さらに、第３の発明は、前記第１又は第２の発明の構成を備えたものにおいて、表示画面に緊急文字情報が表示終了されたとき又は表示終了されたときから予め定めた時間が経過したときに表示画面上の緊急情報受信表示を消す緊急受信表示消去部を有する構成としたことを特徴とする。
【００１１】
さらに、第４の発明は、前記第１又は第２の発明の構成を備えたものにおいて、メモリに記憶された緊急文字情報の消去を検出し、メモリに記憶された緊急文字情報が消去されたときに表示画面上の緊急情報受信表示を消す緊急受信表示消去部を有することを特徴とする。
【００１２】
さらに、第５の発明は、前記第１又は第２の発明の構成を備えたものにおいて、緊急情報受信表示を消す緊急表示消去スイッチを備え、この緊急表示消去スイッチによって緊急文字情報が受信されている表示を消すスイッチ操作が行われたときに表示画面上の緊急情報受信表示を消す緊急受信表示消去部を有する構成としたことを特徴とする。
【００１３】
さらに、第６の発明は、前記第１又は第２の発明の構成を備えたものにおいて、緊急文字情報検出部から緊急文字情報の検出信号を受けたときを起点として経過時間を計測する時計機構と、この時計機構で計測される経過時間が予め設定した時間に達したときに表示画面上の緊急情報受信表示を消す緊急受信表示消去部を有する構成としたことを特徴とする。
【００１４】
さらに、第７の発明は、前記第１乃至第６の何れか１つの発明の構成を備えた上で、表示画面に緊急文字情報が表示終了されたとき又は表示終了されたときから予め定めた時間が経過したときにメモリに書き込み格納されている表示済みの緊急文字情報を消去する緊急情報消去部を有する構成としたことを特徴とする。
【００１５】
さらに、第８の発明は、前記第１乃至第６の何れか１つの発明の構成を備えた上で、メモリに格納された緊急文字情報を消去指示する緊急情報消去スイッチが設けられ、この緊急情報消去スイッチからの緊急文字情報の消去指示を受けてメモリに格納された緊急文字情報を消去する緊急情報消去部を有する構成としたことを特徴とする。
【発明の効果】
【００１６】
本発明によれば、リモコン装置の表示画面の文字情報を見て楽しんでいたときに、緊急文字情報が到来したときには、画面表示を切り替えてその緊急文字情報を強制的に表示画面に表示することはせず、緊急文字情報が到来したことのみを表示画面の一部位（文字情報の表示に邪魔にならない部位）に表示する。そのため、利用者は、緊急文字情報が到来したことをいち早く知ることができ、直ちに緊急文字情報を見たいときには文字情報の表示から緊急文字情報の表示へ切り替えて緊急文字情報を見ることができ、後にその緊急文字情報を見ようとするときには、文字情報をそのまま続けて見て、文字情報を見終わった時等に、緊急文字情報を表示画面に表示して見ることができる。このように、緊急文字情報の到来は利用者に早急に知らせ、緊急文字情報の利用については、利用者の思うままに（利用者の都合に合わせて）利用することができるので、使い勝手は抜群となる。
【００１７】
また、緊急受信表示消去部によって、緊急情報受信表示は、その表示が不要となったとき（表示の周知期間が経過したとき等）に消されるので、次に緊急情報受信表示が画面に現れたときには、新たな緊急文字情報が到来したことをいち早く知ることができ、便利である。
【００１８】
さらに、緊急情報消去部によって、メモリに書き込み格納されている緊急文字情報が見終わった時等の不要となったときに消去されるので、メモリが不要の情報によって溢れることが無く、必要な情報のみを格納して、メモリの容量を効率的に利用でき、不要の情報を格納する必要がない分、メモリの小型化を達成できる。
【発明を実施するための最良の形態】
【００１９】
以下、本発明の実施の形態を図面に基き説明する。図７は給湯装置２７と該給湯装置２７を遠隔操作するリモコン装置１、２とが信号接続されている給湯システムの一例を示す。給湯装置２７は屋外等に設置され、この給湯装置２７の制御装置３に信号接続される風呂リモコン装置１は浴室に設置され、同じく制御装置３に信号接続される台所リモコン装置２は台所に設置される。
【００２０】
給湯装置２７は給湯機能と、浴槽２６への自動湯張り機能と、追い焚き機能と、足し湯機能と、ぬる湯機能とを具備する。この実施形態においては、２芯の信号線を用いて風呂リモコン装置１と台所リモコン装置２は給湯装置２７の回路、つまり、給湯装置２７の燃焼制御回路に接続されている。
【００２１】
図５は本発明に係る風呂リモコン装置１の一実施形態例の外観構成を示すもので、風呂リモコン装置１の筐体ケースの表面側には表示部としての表示画面３２と、リモコンの電源をオン、オフする運転スイッチ３５と、給湯装置２７の追い焚き運転を指示する追い焚きスイッチ３３と、給湯装置２７の自動運転を指示する自動スイッチ３６と、ラジオ放送や文字放送の視聴用の放送スイッチ３７と、通話スイッチ３８と、スピーカ３４と、給湯や湯張りの温度と浴槽水位を設定する設定スイッチ２８ａ、２８ｂと、給湯温度、湯張り温度、浴槽水位等の各設定モードを切り替える選択スイッチ２９と、足し湯スイッチ３０と、ぬる湯スイッチ３１とが設けられている。
【００２２】
スイッチ３５、３３、３６、３７、３８にはランプ３９が設けられており、その各スイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、風呂リモコン装置１の筐体ケースの内部には図示されていないマイクが内蔵されている。
【００２３】
表示画面３２は液晶表示器（ＬＣＤ）や、蛍光表示管（ＶＦＤ）等の画面によって形成され、本実施形態例においては、文字放送の文字情報と給湯装置２７の給湯関連情報とを１つの画面で切り替え表示する構成と成している。給湯関連情報とは例えば、給湯設定温度、湯張り設定温度、湯張り設定水位、風呂温度、湯張り水位、給湯検出温度等の給湯機能の動作と、湯張り機能や保温機能の動作において必要な各種設定値と各種センサ検出値の情報である。
【００２４】
図５の例では、給湯温度表示領域に４１℃の給湯設定温度が、優先表示領域に「優先」の文字で風呂リモコン装置１で設定した給湯の温度が台所リモコン装置２で設定る給湯温度よりも優先される旨の表示が、燃焼表示領域に炎４８のマークを用いて給湯装置２７が燃焼運転している旨の表示が、浴槽水位の表示領域には浴槽を示す絵に設定水位の表示が、湯張り温度の表示領域には浴槽を示す絵の中に４１℃の湯張り設定温度の表示がそれぞれ示されている。なお、表示画面３２には時刻表示領域が設けられており、その表示領域に現在の時刻（図５ではＡＭ１０：００）が示される。
【００２５】
前記給湯設定温度の設定は、選択スイッチ２９によって給湯温度設定モードを選択し、設定スイッチ２８ｂを押すごとに温度を一定温度（例えば１℃）ずつ上昇させ、設定スイッチ２８ａを押すごとに温度を一定温度（例えば１℃）ずつ下降させる操作を行って行われる。同様に、湯張り温度を設定する場合も、選択スイッチ２９によって湯張り温度の設定モードを選択し、設定スイッチ２８ａ、２８ｂを用いて温度を上下調整することにより達成される。湯張りの水位（浴槽水位）を設定する場合も、選択スイッチ２９によって浴槽水位設定モードを選択し、設定スイッチ２８ａを押すごとに水位（又は水量）を単位水位（単位水量）ずつ上昇させ、設定スイッチ２８ａを押すごとに水位（又は水量）を単位水位（単位水量）ずつ下降させる操作を行って行われる。
【００２６】
内蔵のマイクとスピーカ３４は通常は他のリモコン装置との間で会話を行なうときに使用されるもので、例えば、入浴中に風呂リモコン装置１と台所に設置されている台所リモコン装置２との間で、入浴している者が台所にいる者に浴室にタオルを持ってきてもらう等の要請を行うときの会話に使用される。このような会話を行うときに通話スイッチ３８を押すことにより、通話先の台所リモコン装置２に呼び出し音が発せられ、居間や、台所にいる者を呼び出すことができるものである。
【００２７】
運転スイッチ（給湯スイッチ）３５はスイッチオンとすることにより、風呂リモコン装置１の電源がオンされて回路を動作可能な状態にし、スイッチオフとすることにより、回路動作を停止状態とするものである。給湯装置２７の給湯機能の動作はこの運転スイッチ３５がオンの状態で行われる。自動スイッチ３６は湯張り動作から保温動作にかけての一連の動作の開始と停止を指令するものであり、スイッチオンによりその動作が開始し、スイッチオフの状態で動作停止状態となる。放送スイッチ３７はラジオ放送（ＦＭラジオ放送）および文字放送（文字情報）の視聴と視聴停止を指令するものであり、スイッチオンにより、ラジオ放送開始となり表示画面３２は、給湯関連情報の表示から放送番組用の表示に切り替わり、スイッチオフにより放送停止となり、表示画面３２は放送用番組の表示から給湯関連情報の表示に切り替わる。
【００２８】
一例として、スイッチ動作と表示画面３２の表示切替の関係を、さらに、具体的に示せば、次のようである。すなわち、運転スイッチ３５がオンされると、表示画面３２は給湯関連情報の表示となり、この状態で放送スイッチ３７がオンされると、表示画面３２は放送番組用の表示に切り替わる。この状態で、運転スイッチ３５が押されると（スイッチオフ操作されると）、表示画面３２は非表示状態となる。運転スイッチ３５、放送スイッチ３７が順に押されて放送（ラジオや、文字の放送）の動作モードに入った後、再び運転スイッチ３５が押されると（運転オフ操作されると）、放送および給湯運転は共にオフとなる（表示画面３２は非表示状態となる）。また、運転スイッチ３５がオンされずに、いきなり放送スイッチ３７が押されて（オン操作されて）放送の動作モードに入った後に、再び放送スイッチ３７が押されたとき（オフ操作されたとき）には、放送はオフとなるが、運転スイッチ３５を押すと給湯モードとなり、表示画面３２は給湯関連情報の表示となる。
【００２９】
図６は台所リモコン装置２の外観構成を示す。この台所リモコン装置２は、風呂リモコン装置１から足し湯スイッチ３０、ぬる湯スイッチ３１、追い焚きスイッチ３３、放送スイッチ３７を取り除いた構成のものであり、それ以外は風呂リモコン装置１と同様であり、風呂リモコン装置１と共通の構成部分には同一符号を付して重複説明は省略する。
【００３０】
なお、台所リモコン装置２においても、台所リモコン装置２で設定した給湯温度が風呂リモコン装置１で設定した給湯温度（湯張り温度）よりも優先する場合は、台所リモコン装置２の表示画面３２に優先表示が行われる。風呂リモコン装置１と台所リモコン装置２との一方が優先表示されているときには他方側のリモコン装置で給湯設定温度を設定しても優先温度とはならない。他方側のリモコン装置の設定温度に優先温度としての地位を与える場合は、優先表示されている一方側の運転スイッチ３５を一旦オフしてリセットしてから他方側のリモコン装置で給湯温度を設定することにより、その他方側の設定の温度が優先温度として認められ、その他方側のリモコン装置の表示画面３２に「優先」の表示がされ、今まで優先温度となっていた一方側のリモコン装置の表示画面３２に表示されていた「優先」の表示は消去される。
【００３１】
次に、リモコン装置を用いて行なう給湯装置２７の動作の一例を図７に示す給湯装置２７の模式構成に基き簡単に説明する。なお、図７の給湯装置２７の自体の構成は公知であるので、給湯装置自体の構成説明は省略する。
【００３２】
給湯装置２７の給湯機能の動作は、風呂リモコン装置１又は台所リモコン装置２の運転スイッチ３５をオンし、この状態で給湯管路１１の給湯先に設けられている給湯栓（図示せず）を開くことにより開始する。給湯栓の開により、制御装置３は流量センサ４により給水管路５を通水する最低作動流量以上の流量を検出すると、給湯バーナ１０を燃焼し、給湯熱交換器７を通る水を加熱して湯を作成し、その湯を給湯管路１１を通して給湯先へ供給する。
【００３３】
この給湯機能の動作では、制御装置３は入水温度センサ６による入水温と、流量センサ４による給湯量と、給湯温度センサ８による給湯温（出湯温）との検出情報に基き、給湯湯温が台所リモコン装置２（又は風呂リモコン装置１）で設定された給湯設定温度となるようにガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、制御装置３は給湯バーナ１０へのガス供給を遮断し、給湯バーナ１０の燃焼を停止する。
【００３４】
給湯装置２７の自動運転は、湯張り機能の動作、追い焚き機能の動作、保温機能の動作を連続的に行うもので（湯張り完了時の浴槽水温度が湯張り設定温度（風呂設定温度）以上のときは追い焚き機能の動作は行われない）、運転スイッチ３５がオンされている状態で、風呂リモコン装置１（又は、台所リモコン装置２）の自動スイッチ３６をオンすることにより開始する。そうすると、注湯電磁弁１３が開かれ、前記給湯機能の動作と同様に給湯熱交換器７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。浴槽２６の水位は水位センサ２０としての圧力センサによって検出され、この検出水位が浴槽の設定水位に達したときに注湯電磁弁１３が閉じられ、湯張り動作が終了する。この湯張りの動作においては、制御装置３は、湯張りの湯温が湯張り設定温度となるように給湯バーナ１０の燃焼量を制御する。
【００３５】
湯張りが完了したときに注湯電磁弁１３が閉じられる。そして、循環ポンプが起動されて浴槽水の温度（湯温）が風呂温度センサ１８によって検出され、検出温度が湯張り設定温度（風呂設定温度）よりも低いときには追い焚き機能の動作が行われる。
【００３６】
追い焚き機能の動作とは、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。この追い焚き動作は風呂温度センサ１８が風呂温度を検出し、その検出温度が風呂設定温度に達したときに風呂バーナ１６の燃焼停止と循環ポンプ２１の停止とが行なわれて終了する。
【００３７】
そして、自動運転の動作においては、引き続き保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂（浴槽湯水）の検出温度が風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。そして、風呂温度センサ１８の検出温度が風呂の設定温度に達したときに循環ポンプ２１を停止し、風呂バーナ１６の燃焼を停止する。このように保温機能の動作（保温動作）は湯張りが終了してから所定の時間（例えば４時間）にわたって行なわれる。保温機能と供に保水機能の動作を行う給湯装置２７においては、水位センサ２０によって浴槽の水位が監視され、浴槽の水位が設定水位から許容範囲を越えて低下したときには注湯電磁弁１３が開けられて給湯熱交換器７側から設定水位に達する不足分の湯量が補充され、浴槽水位を設定水位に維持する保水動作が行なわれる。
【００３８】
風呂リモコン装置１の追い焚きスイッチ３３が押されたときには、前記追い焚き機能の動作が単独の動作として行われる。また、風呂リモコン装置１の足し湯スイッチ３０が押されると、足し湯機能の動作が行われ、湯張り設定温度の湯が一定量（例えば２０リットル）給湯熱交換器７側から浴槽２６へ落としこまれる。さらに、風呂リモコン装置１のぬる湯スイッチ３１が押されると、ぬる湯機能の動作が行われ、給水の水が加熱されずに一定量（例えば１０リットル）給湯熱交換器７側から浴槽２６へ落としこまれる。
【００３９】
なお、図７において、１２は流量センサ、２２は流水スイッチ、１９は循環ポンプ２１の吐出口と追い焚き熱交換器１５の入水口を連通接続する管路、１７は風呂バーナ１６へのガス通路、４９は水量制御弁、５０は分岐路をそれぞれ示している。
【００４０】
図１は、本発明に係るリモコン装置（風呂リモコン装置１）の一実施形態例の文字放送に関する構成を示すもので、風呂リモコン装置１の内部（風呂リモコン装置１の筐体ケースの内部）に、文字放送受信部（文字放送受信モジュール）４０と、文字情報書き込み・読み出し部４１と、メモリ４２と、表示制御部４３と、緊急文字情報検出部４４と、緊急受信表示消去部４５と、緊急文字放送受信表示指令部４６と、緊急情報消去部４７と、緊急情報表示指令部５１との回路が回路基板に形成されて収容されており、また、風呂リモコン装置１には緊急情報表示スイッチ５２と、番組選択指定手段５６とが装備されている。
【００４１】
文字放送受信部４０は、ＦＭ文字放送を受信するために必要な、アンテナ、復調回路、復調回路で復調された信号から文字情報を分離する回路等を有しており、これらの回路構成は、特許文献１、３等に示されているように、公知であるので、その回路構成の説明は省略する。文字放送局では、台風、津波、地震、飛行機事故等の緊急事故（緊急災害）が発生したときには、その緊急文字情報を通常の文字情報に多重して送信しており、文字放送受信部４０はこれらの緊急文字情報を受信したときには通常の文字情報と緊急文字情報とを分離する回路を有している。なお、文字放送受信部４０はＦＭラジオ放送をも受信し、風呂リモコン装置１の回路基板にはその受信したラジオ放送をスピーカ３４から流すラジオの回路を備えているが、このようなラジオの回路は周知であるのでその回路構成の図示は省略する。
【００４２】
文字情報書き込み・読み出し部４１は、文字放送受信部４０が受信した文字情報をメモリ４２の所定の位置に書き込むとともに、読み出し指令を受けてその指令された文字情報をメモリ４２から読み出す機能を備えている。なお、文字情報書き込み・読み出し部４１は、文字放送受信部４０が緊急文字情報を受信したときには、通常の文字情報と緊急文字情報とをメモリ４２のそれぞれ所定の領域に区別して格納する構成と成している。緊急文字情報は短時間の内に複数回到来することがあり（例えば、地震は本震の前後に複数回余震が短時間間隔で発生する場合がある）、その全ての緊急文字情報を記憶させても良いが、順次新しい緊急文字情報をその前の緊急文字情報に上書きして記憶させてもよい。メモリ４２は情報の書き込みと読み出しが可能な不揮発性メモリによって構成されている。なお、実際には、メモリは複数用いられるが、ここでは便宜上、１つのブロックで代表させている。
【００４３】
番組選択指定手段５６は、ラジオ放送および文字放送の選局と文字放送を選局した場合はその放送局の番組を選択指定してその指定信号を表示制御部４３に加える。本実施形態例では、給湯装置２７の遠隔操作用のスイッチ２８ａ、２８ｂ、２９、３０、３１を放送用の各種操作用スイッチとして兼用させており、選択スイッチ２９はラジオ放送の選局モードと文字放送モードの選択スイッチとして機能させ、足し湯スイッチ３０とぬる湯スイッチ３１は選局と番組の選択指定スイッチとして機能させており、これらのスイッチ２８ａ、２８ｂ、２９、３０、３１は番組選択指定手段５６の構成要素と成している。なお、設定スイッチ２８ａ、２８ｂはラジオ放送の音量調整スイッチとして機能させ、設定スイッチ２８ａを押すごとに音量が定音量ずつ低くなり、設定スイッチ２８ｂを押すごとに、音量が定音量ずつ高くなる構成と成している。
【００４４】
本実施形態例では文字放送モードとして、例えば、番組連動モード、自動番組モード、番組繰り返しモード、緊急情報番組モードを有している。番組連動モードは、ラジオの番組と連動した文字情報を表示画面３２に表示させる動作モードであり、例えば、ラジオの歌番組の歌に合せて歌詞、曲名、歌手名を表示画面３２に表示させるものである。自動番組モードは、選定した文字放送局がサービスしている全ての番組を順番に表示する動作モードである。番組の例として、ニュース番組、スポーツ番組、ビジネストレンド番組、天気番組、交通情報番組、占い番組、うわさのパラダイス番組、ランキング情報番組等がある。
【００４５】
番組繰り返しモードは選択された番組の文字情報を繰り返し表示画面３２に表示する動作モードである。例えば、ニュース番組が選択されたときには、そのニュース番組の文字情報を繰り返し表示するものである。緊急情報番組モードは地震、台風、津波、飛行機事故、列車転覆事故等の突発的に生じる情報を知らせる緊急文字情報を表示画面３２に表示させる動作モードである。
【００４６】
本実施形態例では、図４に示すように、これらの各文字放送モードに一対一に対応したマークが設定されて適宜の位置、例えば、メモリ４２に与えられ、表示制御部４３は選定された文字放送モードのマークを文字情報と共に予め定められた表示画面３２の表示領域に表示する構成と成している。
【００４７】
緊急文字情報検出部４４は文字放送受信部４０が緊急文字情報を受信したことを検出する。緊急文字情報には放送局から送信されるときに通常の文字情報と区別する符号が付いており、この符号を検出することで、緊急文字情報が受信されたことを正確に検出できる。緊急文字情報検出部４４は緊急文字情報の受信を検出したときにその検出信号を緊急文字放送受信表示指令部４６に加える。
【００４８】
緊急文字放送受信表示指令部４６は緊急文字情報検出部４４から緊急文字情報を検出した知らせ（検出信号）を受けたときに、緊急文字情報の受信の表示（緊急文字情報を受信した旨の表示）を表示画面３２の予め定められた緊急文字情報受信表示領域に表示することを表示制御部４３に指令する。
【００４９】
表示制御部４３は文字情報表示モードとなっているときに（選択スイッチ２９によって文字情報表示モードが選択指定されているときに）、表示画面３２に番組選択指定手段５６によって選択指定された放送局の番組の文字情報を表示する。図２はその文字情報の表示例を示すもので、文字を大きく表示するために、文章の文字が画面の一方側から他方側へ（図示の例では右側から左側へ）流れていくスクロール方式で表示する表示制御形態を採用している。
【００５０】
また、表示制御部４３は緊急文字放送受信表示指令部４６から緊急文字情報の受信の表示指令が加えられたときには、緊急文字情報の受信の表示を符号、絵柄、文字等の適宜の手段を用いて予め定めた表示画面３２の表示領域（緊急文字情報受信表示領域）に表示して、文字情報を見ている者に知らせる。本実施形態例では、「！」のマークが緊急文字情報の受信の表示として採用されている（図２参照）。緊急文字情報の受信の表示は表示画面３２上の文字情報の表示と一緒にに併記される領域であり、文字情報の表示に邪魔にならない位置であればよいが、一例として、表示画面３２を文字情報と給湯関連情報との兼用表示領域と、時刻表示や文字放送モード等の表示を行う共用表示領域とに区分し、緊急文字情報の受信の表示は共用表示領域に行うようにしてもよい。
【００５１】
緊急情報表示スイッチ５２は表示画面３２に緊急文字情報を表示させる指令を行うスイッチ、つまり、文字放送モードの内の緊急情報番組モードを選択指定するスイッチであり、この実施形態例では、選択スイッチ２９にこの緊急情報表示スイッチ５２としての役割を兼用させている。緊急情報表示スイッチ５２（２９）が押されると、緊急文字情報の表示指令のスイッチ信号が緊急情報表示指令部５１に加えられる。緊急情報表示指令部５１はそのスイッチ信号を受けて、表示制御部４３に緊急文字情報の表示を指令する。この指令を受けて、表示制御部４３は表示画面３２に今まで利用（表示）されていた文字放送の文字情報を緊急文字情報に切り替え表示する。なお、「緊急文字情報」がないときに選択スイッチ２９（緊急情報表示スイッチ５２）を押すと次のモード（例えば、自動選局モード）へジャンプする。
【００５２】
緊急受信表示消去部４５は表示制御部４３から表示画面３２の表示に関する制御信号を受け、表示画面３２の表示が緊急文字情報の表示から他の情報の表示に切り替えられたときに、表示画面３２への緊急文字情報の表示が表示終了されたと判断して表示画面３２の画面から緊急文字情報の受信の表示の消去指令を表示制御部４３に加えるか、又は緊急文字情報の表示が終了したと判断したときから時計機構５３に時間を計測させ、その経過時間が予め定めた時間（設定時間（例えば２４時間））が経過したときに表示画面３２に表示されている緊急文字情報の受信の表示を消去する指令を表示制御部４３に加える。この消去指令を受けて、表示制御部４３は表示画面３２に表示されている緊急文字情報の受信の表示（図示の例では！のマーク）を消去する（消す）。
【００５３】
緊急情報消去部４７は、表示制御部４３から緊急文字情報の表示画面３２への表示制御信号を受け、表示画面３２に緊急文字情報が表示終了されたとき又は表示終了されてから予め定めた時間（例えば２４時間）経過したときにメモリ４２に格納されている緊急文字情報を消去する。
【００５４】
本実施形態例のリモコン装置（風呂リモコン装置）は上記のように構成されており、次に、放送視聴の動作を簡単に説明する。運転スイッチ３５がオンされている状態では、風呂リモコン装置１の電源がオンされ、この電源を用いて文字放送受信部４０は文字放送を受信し、受信した文字情報は文字情報書き込み・読み出し部４１によって、メモリ４２に格納される。図５に示されるように、風呂リモコン装置１の表示画面３２が給湯関連情報を表示している動作モード状態で、放送スイッチ３７が押されると、表示画面３２に選局されている周波数又は放送局名が表示され、その周波数のラジオ放送がスピーカ３４から流れる。音量は設定スイッチ２８ａ、２８ｂを操作することによって調整される。
【００５５】
選局を変更する場合は、選択スイッチ２９を押して動作モードを変更する。一例として、選択スイッチ２９を押す毎に、オート選局モード、マニュアル選局モード、文字放送の番組連動モード、文字放送の自動番組モード、文字放送の番組繰り返しモード、文字放送の緊急情報番組モードという如く動作モードが順次切り替えられ、最後に元の動作モードに戻る。選択スイッチ２９を操作してオート選局モードを選択し、ぬる湯スイッチ３１を押すごとに予めメモリ４２に記憶されている放送局名が順次表示画面３２に表示され、足し湯スイッチ３０を押して行くと、逆に、１つ前の放送局名が順次表示画面３２に表示されるので、ぬる湯スイッチ３１と足し湯スイッチ３０を操作することにより、放送局を変更設定できる。
【００５６】
図３はオート選局モードによって、選局された表示画面３２の表示状態を示しており、表示画面３２には選局された局名（ＴＯＫＹＯ  ＦＭ）と、その番組を示すチャンネル番号（ＣＨ１）と、オート選局モードの表示（ＣＨ）が表示されている。
【００５７】
マニュアル選局モードによって放送局を選局する場合は、選択スイッチ２９を操作してマニュアル選局モードを選択する。そうすると表示画面３２に、現在選局されている局の周波数とマニュアル選局モードの表示（Ｈｚ）が表示される。この状態で、ぬる湯スイッチ３１を押すと周波数が高くなる方向に変化し、足し湯スイッチ３０を押すと周波数が低くなる方向に変化して行くので、足し湯スイッチ３０とぬる湯スイッチ３１を操作することにより、放送局の選局変更を行うことができる。
【００５８】
文字放送を見るときには、選択スイッチ２９を操作して文字放送の見たい番組モードを選択する（文字放送の選局は前述したラジオの選局と同じである）。その場合は、ぬる湯スイッチ３１を順次押して行くと、番組名がニュース、スポーツ、ビジネストレンド、天気、交通情報、・・・、という如く表示画面３２に表示されながら順次切り替わり、足し湯スイッチ３０をおして行くと、同様に番組名が表示画面３２に表示されながら順次逆方向に切り替わるので、足し湯スイッチ３０とぬる湯スイッチ３１を操作して好みの番組を選択設定する（仕様によっては、特定の放送モードにおいては番組の変更（選択）ができないようにすることも可能である）。図２はこのようにして選択された番組が表示画面３２に表示されている状態を示す。図２の例では、番組連動モードが選択された状態のもとで、表示画面３２にニュース番組の文字情報が表示されており、同じ画面上に番組連動モードを示す「ＬＩＮＫ」のマークが表示されている。番組繰り返しモードのもとで、そのニュース番組が表示画面３２に表示される場合は、その番組繰り返しモードを示すマーク（図４参照）が表示される。
【００５９】
緊急文字情報が突発的に送信されてきたときには、緊急文字情報検出部４４がそれを検出して緊急文字情報が受信されていることを知らせる表示のマーク「！」が図２に示されるように通常番組の文字情報の表示画面上に表示される。このマークを見て、文字情報を見ている者は、緊急文字情報が受信されていることを知ることができる。緊急文字情報を見る操作が行われないときには、そのまま通常の文字放送の番組が継続して行く。
【００６０】
利用者が「！」のマークを見て、緊急文字情報の内容を知りたいときには、選択スイッチ２９（緊急情報表示スイッチ５２）を操作して緊急情報番組モードを選択する。そうすると、図２（ａ）の状態から同図（ｂ）の状態に表示画面３２の表示が切り替わり、表示画面３２に緊急文字情報（図２（ｂ）の例では台風情報）が表示される。
【００６１】
利用者が緊急文字情報を見た後に、選択スイッチ２９を操作することで、表示制御部４３が表示画面３２の表示を別の表示に切り替えたときには（例えば、緊急文字情報を見た後に、通常の文字情報の番組に切り替えた場合）、緊急情報消去部４７は緊急文字情報の表示画面３２への表示が終了したと判断し、メモリ４２に格納されている緊急文字情報を消去する。この場合、文字放送の利用者が複数居る家族利用の場合を考慮し、表示画面３２への表示終了時から時計機構５３で経過時間を計測し、家族の他の者が見る余裕時間を考慮して予め定めた時間（例えば２４時間）経過した後にメモリ４２に格納されている緊急文字情報を消去するようにしてもよい。
【００６２】
表示制御部４３が表示画面３２の表示を別の表示に切り替えたときに、緊急文字情報の表示画面３２への表示が終了したと判断し、この表示終了判断時又は表示終了判断時から予め定めた設定時間が経過したときに、緊急受信表示消去部４５は緊急文字情報の受信表示の消去指令を表示制御部４３に加える結果、表示制御部４３により、表示画面３２の緊急文字情報受信表示領域に表示されていた緊急文字情報の受信表示（図示の例では「！」のマーク）は消去される（消される）。
【００６３】
なお、放送スイッチ３７が押されて放送が消されたときには、表示画面３２は図５に示されるような給湯関連情報の表示モードとなる。スイッチ操作がされない状態で所定時間経過したときには省電力モードとなって、表示画面３２の表示の電源がオフとなり、表示画面３２には時計の時刻表示以外は表示されない状態となる。
【００６４】
本実施形態例によれば、利用者が文字放送を楽しんでいたとき、緊急文字情報が受信されても文字情報の表示画面が緊急文字情報の表示画面へと自動的に切り替わることがない。そのため、利用者は、自分の判断で緊急文字情報を直ちに見るか、或いは現在見ている文字情報を最後まで見てから緊急文字情報を見るかを自分の意思で判断でき、自分の都合のよいときに緊急文字情報を見ることができるので、非常に使い勝手がよいものとなる。しかも、緊急文字情報が表示画面３２に表示されるまでは、緊急文字情報が受信されていることを文字情報の画面に表示するので、利用者に緊急文字情報が到来していることを迅速に、的確に知らせることができる。
【００６５】
また、本実施形態例においては、表示画面３２を給湯関連情報の表示用と放送の表示用とに兼用させているので、給湯関連情報の表示用と放送の表示用とを別個の画面とする場合に比べ、画面面積を大きくでき、その分、文字情報を見易い大きい字で表示できるので、利用性に優れたものとなる。
【００６６】
さらに、給湯関連のリモコン操作に使用する各種のスイッチ２８ａ、２８ｂ、２９、３０、３１を文字放送の操作スイッチとして兼用させているので、風呂リモコン装置に装備するスイッチの数を少なくすることができ、その分、リモコン装置の装置構成の複雑化を避け、外観も煩雑でないすっきりした形態となる上に、部品点数の低減に伴うコスト削減を図ることが可能である。
【００６７】
本発明は上記実施形態例に限定されることなく、様々な実施の形態を採り得る。例えば、上記実施形態例では、表示画面３２に表示されている緊急文字情報の受信の表示は、緊急文字情報の表示が終了したとき又はその表示終了後設定の時間が経過したときに消去するようにしたが、メモリ４２に格納されている緊急文字情報が消去されたときに消すようにしてもよい。その場合は、緊急受信表示消去部４５は緊急情報消去部４７から緊急文字情報を消去した旨の信号を受けてメモリ４２から緊急文字情報が消去されたことを検出し、表示画面３２上の緊急文字情報の受信の表示を消去するようにすればよい。
【００６８】
緊急文字情報の受信の表示を消去する他の代替例として、図１の鎖線に示すように、緊急表示消去スイッチ５４（このスイッチは選択スイッチ２９で兼用させてもよい）を設け、利用者が緊急表示消去スイッチ５４を押したときに、緊急表示消去スイッチ５４からの消去指示信号（スイッチオン信号）を緊急受信表示消去部４５が受けて、緊急受信表示消去部４５から表示制御部４３に消去指令を加えることで、表示画面３２上の緊急文字情報の受信の表示を消去するようにしてもよい。
【００６９】
或いは、緊急文字情報検出部４４が緊急文字情報の受信を検出したときにその検出信号を緊急受信表示消去部４５に加えるようにし、緊急受信表示消去部４５はその検出信号を受けたときに、その時を起点として時計機構５３に時間を計測させ、その計測時間（経過時間）が予め定めた時間（予め設定した時間）（例えば、２４時間）に達したときに表示制御部４３に消去指令を発して表示画面３２上の緊急文字情報の受信の表示を消去するようにしてもよい。
【００７０】
さらなる代替例としては、緊急文字情報の受信の表示を行う期間（時間）をメモリ４２等に予め与えておき、緊急文字情報の受信の表示を開始してからその期間が経過したときに緊急受信表示消去部４５から表示制御部４３に消去指令を発して表示画面３２上の緊急文字情報の受信の表示を消去するようにしてもよい。
【００７１】
さらに、上記実施形態例では、表示画面３２に緊急文字情報が表示終了されたとき又は表示終了されてから予め定めた時間が経過したときに、メモリ４２に格納されている緊急文字情報を消去したが、これとは異なり、例えば、図１の鎖線で示すように緊急情報消去スイッチ５５（このスイッチは選択スイッチ２９で兼用してもよい）を設け、利用者が緊急情報消去スイッチ５５を押したときに、緊急情報消去スイッチ５５から消去指示の信号（スイッチ信号）を緊急情報消去部４７に加え、緊急情報消去部４７によってメモリ４２に格納されている緊急文字情報を消去するようにしてもよい。
【００７２】
さらに、上記実施形態例では、緊急文字情報の受信の表示を文字情報の表示画面に表示したが、ラジオ放送時の表示画面や、給湯関連情報の表示画面にも緊急文字情報を受信したときには直ちにその緊急文字情報の受信表示を行うようにしてもよい。
【００７３】
さらに、上記実施形態例では、緊急文字情報が受信されたときには表示画面３２にその緊急文字情報の受信の旨を表示するにとどめたが、緊急文字情報の受信の旨が表示画面３２に表示されたときに、例えば、「緊急放送が入りました」等の内容の知らせを音声によりスピーカ３４から報知（警告）するようにしてもよい。また、例えば、風呂リモコン装置１のオン時に台所リモコン装置２がオフとなっている機種の場合や、所定時間経過すると省電力モードとなる機種の場合でも、緊急文字情報が受信されたときに、オフとなっているリモコン装置に通電を行って、そのリモコン装置の表示画面３２に緊急文字情報の受信の表示や、その緊急文字情報の受信の音声による報知を行うようにしてもよい。
【００７４】
さらに、上記実施形態例では、風呂リモコン装置１にラジオ放送および文字放送の回路を設けたが、台所リモコン装置２に風呂リモコン装置１に設けた放送受信の回路やスイッチを設けてラジオ放送や文字放送を受信視聴する構成としてもよい。勿論、台所や浴室以外の場所にリモコン装置を設ける場合も同様にラジオ放送や文字放送を受信視聴する構成としてもよい。
【００７５】
さらに、上記実施形態例では、給湯関連情報の操作スイッチを放送用のスイッチとして兼用させたが、給湯関連情報の操作スイッチと放送用のスイッチの一部又は全部を別個に設けてもよい。また、表示画面も給湯関連の表示用と放送の表示用を別個に設けてもよい。
【００７６】
さらに、上記実施形態例ではリモコン装置が接続される給湯装置はガスを燃料とした装置としたが石油を燃料とした給湯装置でもよく、又は、電気温水器等でもよい。また、給湯装置は給湯機能、湯張り機能、保温機能、保水機能、追い焚き機能を具備しているが、これらの全ての機能を具備していなくてもよく、他の機能を具備していてもよく、少なくとも給湯機能を具備していればよい。
【００７７】
さらに、上記の実施形態例では、文字放送受信部４０はリモコン装置に形成したが、この回路４０は給湯装置２７側、より具体的には給湯装置２７の制御装置３側に形成してもよく、また、必要に応じ、表示画面３２と各種スイッチを除いた回路の一部又は全部を同様に制御装置３側に形成してもよい。
【００７８】
さらに、表示画面３２の文字情報の表示はスクロール方式としたが、例えば、文章の全文を一括表示する方式としたり、文章を区切って順次区切った文章を表示する方式とする等、スクロール以外の構成でもよい。
【００７９】
さらに、文字放送受信部４０は一度受信したニュース等を蓄えるＲＡＭや文字フォントを記憶するＲＯＭと一体のものとしてもよい。
【００８０】
さらに、上記の各実施形態例では文字情報を表示画面３２に表示するようにしたが、文字情報以外に画像情報、ｗｅｂ情報などを表示してもよい。
【００８１】
さらに、上記の各実施形態例では、文字放送はＦＭ多重文字放送としたが、本発明はＡＭ多重文字放送や、ＴＶ多重文字放送にも適用でき、これらの各多重文字放送の文字情報を表示画面３２に表示する構成としてもよい。
【図面の簡単な説明】
【００８２】
【図１】本発明に係るリモコン装置の一実施形態例を風呂リモコン装置を例にして示すブロック構成図である。
【図２】リモコン装置の表示画面の文字情報表示形態を示す本実施形態例の動作説明図である。
【図３】ラジオ放送のオート選局モードでの選局動作時におけるリモコン装置表示画面の表示形態の説明図である。
【図４】各文字放送モードと各マークとの対応関係を示す説明図である。
【図５】風呂リモコン装置の表示画面に給湯関連情報が表示されている状態を示す図である。
【図６】台所リモコン装置の表示画面に給湯関連情報が表示されている状態を示す図である。
【図７】モデル例の給湯装置２７とリモコン装置１、２との接続使用状況のを示す図である。
【符号の説明】
【００８３】
１      リモコン装置（風呂リモコン装置）
２７    給湯装置
３２    表示画面
３７    放送スイッチ
４０    文字放送受信部
４１    文字情報書き込み・読み出し部
４２    メモリ
４３    表示制御部
４４    緊急文字情報検出部
４５    緊急受信表示消去部
４６    緊急文字放送受信表示指令部
４７    緊急情報消去部
５１    緊急情報表示指令部
５２    緊急情報表示スイッチ
５６    番組選択指定手段
【図１】
2006183963.tif 000003
【図２】
2006183963.tif 000004
【図３】
2006183963.tif 000005
【図４】
2006183963.tif 000006
【図５】
2006183963.tif 000007
【図６】
2006183963.tif 000008
【図７】
2006183963.tif 000009